(57)【要約】【課題】住宅内に用いる紙製の織編物や畳表の隙間に食物の破片やふけ、垢、カビ等ダニ類の餌となる物質が蓄積されても、ダニ類の生息、繁殖を阻止可能なホウ酸塩含有紙紐製織編物及び畳表を提供する。【解決手段】ホウ酸塩を、好ましくは拡散性ホウ酸塩を、ホウ素換算で0.05重量％以上含有したホウ酸塩含有紙紐を製編織してなる防ダニ性の織編物及び畳表、並びに紙紐を織編物に製編織した後、ホウ酸塩水溶液を、好ましくは拡散性ホウ酸塩を、塗布してホウ素換算で0.05重量％以上含有させた防ダニ性の織編物及び畳表。【選択図】      図1
2004308092.tif 000002
【特許請求の範囲】
【請求項１】
ホウ酸塩をホウ素換算で0.05重量％以上含有したホウ酸塩含有紙紐を製編織してなる織編物。
【請求項２】
ホウ酸塩をホウ素換算で0.05重量％以上含有したホウ酸塩含有紙紐を緯に織り込んだ畳表。
【請求項３】
紙紐を織編物に製編織した後、ホウ酸塩水溶液を塗布してホウ素換算で0.05重量％以上含有させた織編物。
【請求項４】
紙紐を畳表に織り込んだ後、ホウ酸塩水溶液を塗布してホウ素換算で0.05重量％以上含有させた畳表。
【請求項５】
前記ホウ酸塩が拡散性ホウ酸塩である請求項１乃至４のいずれかに記載の織編物又は畳表。
【発明の詳細な説明】
【技術分野】
【０００１】
本発明は、紙紐を有し、かつこの紙紐にホウ酸塩を含有せしめて成る防ダニ性織編物及び畳表に関する。詳しくは、ホウ酸塩を含有させた紙紐を製編織してなる織編物と、同紙紐を緯に織り込んだ畳表と、紙紐を製編織した後にホウ酸処理した織編物と、紙紐を畳表に織り込んだ後ホウ酸処理した畳表に関する。
【背景技術】
【０００２】
畳は、日本の伝統的な建築材料で、元来は乾燥した藁を圧縮した畳床に畳表を縫いつけた物である。この藁畳床は、天然植物性素材としての風合いや調湿機能を持つ反面、しばしばダニなどの害虫の温床になっていた。特に夏期など、温度、湿度の条件が満たされると、チリダニやコナダニが大発生し、これらを捕食するツメダニが増える。住宅構造が密閉化、暖房化するにつれ、最近では冬季のダニの増殖も問題になっている。チリダニ、コナダニの生体、死体、糞は、アレルゲンとして喘息、鼻炎、アトピー性皮膚炎等に関係し、ツメダニは刺咬症を起こす。
【０００３】
畳床の内部でのダニ類の生息、繁殖を阻止するために、いろいろな方法が提案、実行されている。最も広く普及している対策は、畳床を形成する藁の全部を発泡プラスチック等の新規材料で置き換えた化学畳である。これによって畳床は軽量化され、内部での節足動物の生息、繁殖を抑制できる。しかしながら、天然の藺を用いた畳表をこの化学畳の上に縫いつけたのでは、畳表がダニ類の温床になってしまう。
【０００４】
一方、近年の住宅は、和室よりも洋間が増えて西洋化してきたが、日本人にはいまだに、洋間のフローリングよりも和室の畳の感触を好む人も多く、洋間のフローリング上に藺製の上敷きやカーペット等の敷物を敷いている。これらの敷物にも、夏期など、温度、湿度の条件が満たされると、しばしばダニなどの害虫の温床になっている。
【０００５】
特許第2885658号公報には、針葉樹の木材繊維を主体とし、坪量15〜20g/m2で抄造した紙を、20〜40mm幅に裁断し、中心部を空洞にして5〜15巻にて筒状に撚りを掛けた径0.7〜1.5mmの筒状抄繊糸を、織り込み密度0.8〜1.2kg/m2で編織した畳表が開示されている。
【０００６】
また、特開平9-188928号公報には、目付8〜40g/m2で、幅3〜100mmのパルプ紙テープを撚って得られる中空紐状の紙糸を編織してなる紙布が開示されている。
【０００７】
しかしながら、上記公報のいずれにも防虫剤の記載が無く、紙製の畳表には微細な隙間があり、この隙間に食物の破片やふけ、垢、カビ等ダニ類の餌となる物質が蓄積されやすいので、紙製の畳表でもダニ類の生育や繁殖の媒体となる欠点がある。
【特許文献１】特許第2885658号公報、第１頁
【特許文献２】特開平9-188928号公報、第１頁
【発明の開示】
【発明が解決しようとする課題】
【０００８】
本発明の課題は、住宅内で用いる紙製の織編物や畳表の隙間に食物の破片やふけ、垢、カビ等ダニ類の餌となる物質が蓄積されても、ダニ類の生息、繁殖を阻止可能な畳表及び畳表を含めた各種建材或は衣料品等に利用可能な織編物の製造方法を提供することにある。
【課題を解決するための手段】
【０００９】
本発明者は、上記課題を解決するために鋭意検討した結果、織編物や畳表の紙紐に適切にホウ酸塩を含有せしめることにより、効果が高く安全で半永久的に優れた防虫性能を付与できることを見出し、本発明に到達した。
【００１０】
即ち、本発明は、ホウ酸塩を、好ましくは拡散性ホウ酸塩を、ホウ素換算で0.05重量％以上含有したホウ酸塩含有紙紐を製編織してなる織編物及び畳表、並びに紙紐を織編物に製編織した後、ホウ酸塩水溶液を、好ましくは拡散性ホウ酸塩を、塗布してホウ素換算で0.05重量％以上含有させた織編物及び畳表である。
【００１１】
本発明でいうホウ酸塩とは、オルトホウ酸［Ｂ（ＯＨ）3］、特に拡散性のホウ酸である八ホウ酸ニナトリウム四水和物［Na2B8O13・4H2O］（以下ＤＯＴという）又は、水溶液中でホウ酸とホウ砂を1：1〜1：2で混合して生成するホウ素化合物が好ましく使用される。特に拡散性ホウ酸塩を用いると、常温（20℃）で10重量パーセント、温水にすると３０重量パーセント以上の高濃度水溶液の作成が可能となるので、対象物へホウ酸塩を高濃度で付与することができる。また植物素材に対する拡散性に優れており、拡散性ホウ酸塩、特にDOTは高湿度下で植物素材組織中や食物に、緩やかに拡散する性質がある。
【００１２】
本発明の織編物及び畳表は、ホウ酸塩を、好ましくは拡散性ホウ酸塩を、ホウ素換算で0.05重量％以上含有したホウ酸塩含有紙紐を製編織した織編物及び畳表、並びに紙紐を織編物や畳表に製編織した後、ホウ酸塩水溶液を、好ましくは拡散性ホウ酸塩水溶液を塗布して、ホウ素換算で0.05重量％以上含有させた織編物及び畳表であるので、この織編物や畳表の隙間に蓄積された食物の破片やふけ、垢、カビ等のダニ類の餌となる物質や、ダニの卵に拡散性ホウ酸塩が拡散され、ダニ類はこれ等の餌を食べて死亡し、拡散性ホウ酸塩が拡散された卵は孵化しなくなって、生息、繁殖を阻止することができる。ホウ酸塩の含有量は、ホウ素換算で0.05重量％以上、好ましくはホウ素換算で0.1〜0.5重量％の範囲になるようにする。ホウ酸塩がホウ素換算で0. 05重量％未満となると、ダニ類の生息、繁殖を阻止することが難しくなる。逆に、ホウ酸塩がホウ素換算で0.5重量％を越えても効果は変わらず、コストアップになるので好ましくない。
【００１３】
本発明の織編物及び畳表を製造する際に、ホウ酸塩を付与する方法として、（１）ホウ酸塩を抄紙液に混合して抄紙する方法、（２）紙をテープ状に裁断する前又は後にホウ酸塩水溶液を塗布する方法、（３）テープ状の紙を撚糸した紙紐にホウ酸塩水溶液を塗布する方法、（４）紙紐を製編織した織編物や畳表にホウ酸塩水溶液を塗布する方法を採用することができる。
【００１４】
上記の各方法についてもう少し詳しく説明すると、（１）の方法は、パルプを原料にした抄紙液にホウ酸塩を混合して抄紙した後、テープ状に裁断して撚糸することによるホウ酸塩含有紙紐の製造方法である。この方法はホウ酸塩が紙の内部に高濃度に均一に含有されるので、長期間効果が持続され、品質的には最も優れている。但し、ホウ酸塩を含有した水溶液を河川に流すと、河川に生息する動物に悪影響があるので、抄紙後の廃水処理が必要となる。
【００１５】
（２）の方法は、パルプを原料にした紙をテープ状に裁断する前又は後にホウ酸塩水溶液を塗布して乾燥した後、撚糸するホウ酸塩含有紙紐の製造方法である。この方法は、品質的に（１）の方法に次いで優れており、廃水問題もないので最も好ましい方法である。具体的な塗布方法としては、浸漬法、スプレー法、ロール転写法等が好ましく採用される。
【００１６】
（３）の方法は、パルプを原料にした紙をテープ状に裁断して撚糸した紙紐に、ホウ酸塩水溶液を塗布して乾燥する方法である。この方法は、撚糸後個別にホウ酸塩水溶液を塗布して乾燥するので、生産効率が悪い欠点がある。
【００１７】
（４）の方法は、パルプを原料にした紙をテープ状に裁断し撚糸して紙紐となし、次いで製編織して得た織編物や畳表に、ホウ酸塩水溶液を塗布する方法である。織編物や畳表にしてから、浸漬法、スプレー法により一括塗布が可能なので、（３）の方法よりも生産効率が良い。
【００１８】
上記の（３）（４）の方法においては、紙紐にホウ酸塩水溶液を塗布するので、ホウ酸塩が紙紐の表面に留まって乾燥され、摩擦等の外力によって飛散する可能性があるが、拡散性ホウ酸塩水溶液を用いて塗布すると、短時間で内部に浸透するので、ホウ酸が紙紐の表面に留まる量が少なくなって好ましいと言える。
【００１９】
上記の各方法において、裁断するテープの幅は、紙紐の直径をどの位にしたいかによって、抄紙の坪量から経験的に決めればよい。
【００２０】
また、各工程において、適宜公知の着色剤、紙力増強剤、耐水剤、撥水剤等で処理することができる。着色剤、紙力増強剤処理は、ホウ酸塩水溶液処理と同時若しくはその前後の任意の段階で処理することができるが、耐水剤、特に撥水剤処理は、ホウ酸塩水溶液を塗布した後すべきである。
【００２１】
以上の如く、本発明の織編物や畳表を製造する際の、ホウ酸塩付与方法は、ホウ酸塩水溶液を低コストでほぼ均一に塗布することができ、ダニ類の生息、繁殖を阻止することができる健康的なホウ素含有織編物や畳表を容易に製造することができる。
【００２２】
本発明の織編物は、畳表や畳縁の他に、壁材や内装材等の建材や敷物、衣料材等各種用品に適合できる。
【発明の効果】
【００２３】
本発明の織編物、畳表は、請求項１〜５に記載された通りのものなので、この織編物や畳表の隙間に蓄積された食物の破片やふけ、垢、カビ等のダニ類の餌となる物質や、ダニの卵に拡散性ホウ酸塩が拡散され、ダニ類はこれ等の餌を食べて死亡し、拡散性ホウ酸塩が拡散された卵は孵化しなくなって、ダニ類の生息、繁殖を阻止することができる。
【発明を実施するための最良の形態】
【００２４】
次に、本発明について、実施をするための最良の形態について説明する。
【００２５】
パルプを原料にした抄紙の坪量は15〜40g/m２のものを用いるのが、加工性や強度の点から好ましい。抄紙ロールから引出した広幅の抄紙に、又は、テープ状に裁断した後に、濃度が５重量％以上、好ましくは１０重量％以上の拡散性ホウ酸塩水溶液をホウ素換算で0. 05重量％以上、好ましくは0.1〜0.5重量％になるように、好ましくはロール転写法で塗布する。ホウ酸塩水溶液の濃度が５重量％未満になると、処理効率が悪くなってコストアップになったり、走行中の紙が断紙し易くなって好ましくない。
【００２６】
拡散性ホウ酸塩水溶液を塗布した後、加熱ローラー又は熱風で乾燥する。テープ状に裁断する幅は、紙紐の直径をどの位にしたいかによって、抄紙の坪量から経験的に決めればよいが、およそ10〜50mmである。所定幅に裁断した拡散性ホウ酸塩含有テープは、撚り掛けし、着色剤や紙力増強剤を任意の工程で付与して、直径が0.7〜2.0mm程度のホウ酸塩含有紙紐を得る。
【００２７】
図１〜図３は、本発明の実施の態様に係るホウ酸塩含有紙紐の斜視図である。図１は中空部１Ａを有した筒状に撚り掛けしている一例であり、ソフトで見栄えの良い織編物が得られる。図２は中空部２Ａを有した筒状、螺旋状に撚り掛けしている他の例である。図１示すものに次いでソフトで見栄えも良く、図１に示すものよりも製作し易い。図３は縦皺のある紙テープ３Ｂを用いて、中空部を設けずに撚り掛けしているさらに他の例であり、硬目の紙紐となるが、耐久性があり、最も製造コストが安く、かつ多用途化できる特徴がある。
【００２８】
紙力増強剤は、特に限定はなく、公知のもの例えば、紙力増強剤としてエポキシ化ポリアミド樹脂、ポリアクリルアミド樹脂、メラミン樹脂、アクリル酸エステル、尿素樹脂、ポリビニールアルコール、等を適宜選択混合して使用すればよい。
【００２９】
かくして、拡散性ホウ酸塩をホウ素換算で0.1〜0.5重量％含有したホウ酸塩含有紙紐が得られる。ホウ酸塩がホウ素換算で0.1重量％未満、特に0.05重量％未満になると、ダニ類の生息、繁殖を阻止することが難しくなる。逆に、ホウ酸塩がホウ素換算で0.5重量％を越えても効果は変わらず、コストアップになるので好ましくない。このホウ酸塩含有紙紐を製編織し、適宜耐水剤や撥水剤処理して、ホウ酸塩含有紙紐製の防虫性織編物が得られる。耐水剤や撥水剤としては、特に限定はなく、公知のもの例えば、ワックス、シリコン、フッ素、メラミンホルムアルデヒド樹脂、ポリアミドエピクロルヒドリン樹脂、尿素ホルムアルデヒド樹脂、メラミンホルムアルデヒド樹脂、等を適宜選択混合して使用すればよい。
【００３０】
かくして得られた防虫性織編物は、畳表、畳縁、各種敷物、座布団用布、椅子張、壁紙、シーツ、自動車のシートカバー等住宅用資材や家具その他広範囲に用いることができる。
【００３１】
図１に示した紙紐１についての畳表以外の他の用途について示すと、この紙紐１を縦又は横糸として織り込んだゴザ状の敷物や壁紙等の例がある。いずれの場合も防ダニ、防カビ効果が高く、衛生的、健康的家屋を構築できる。
【００３２】
図２に示した紙紐２についても同様であるが、図１に示すものに対し、より高強度な棒状体とすることができるので、強度の必要な壁材等として編物化し利用できる。壁内に挿入可能の防ダニ材として紐単品で使用することも可能である。
【００３３】
図３に示した紙紐３は、強度大でかつ柔軟であるので、縦糸及び横糸として織り込むことができ、布状に形成して、各種敷物、化粧壁等に利用できる。
【００３４】
本発明は、上記実施形態に限定されず、本発明の要旨を逸脱しない範囲で適宜設計変更を行うことができ、各種態様で実施することができる。
【図面の簡単な説明】
【００３５】
【図１】本発明のホウ酸塩含有紙紐の一例を示す斜視図である。
【図２】本発明のホウ酸塩含有紙紐の他の例を示す斜視図である。
【図３】本発明のホウ酸塩含有紙紐のさらに他の例を示す斜視図である。
【符号の説明】
【００３６】
１、２、３  紙紐
１Ａ  中空部
２Ａ  中空部
２Ｂ  紙テープ
３Ｂ  紙テープ
【図１】
2004308092.tif 000003
【図２】
2004308092.tif 000004
【図３】
2004308092.tif 000005